(57)【要約】      （修正有）【課題】紙葉類の大きさに合わせて押出部による紙葉類の押出量を適切な値にすることができる紙葉類処理装置を提供する。【解決手段】紙葉類処理装置は、紙葉類を受け入れる受入部と、受入部で受け入れられた紙葉類を搬送する搬送部と、外部に開口した開口部８０ｈ，９０ｈを有するとともに、搬送部で搬送された紙葉類を集積する集積部８０，９０と、集積部８０，９０で集積された紙葉類を開口部８０ｈ，９０ｈに向かって押し出す押出部８３，９３と、紙葉類の種類又は紙葉類の長さに基づいて、押出部８３，９３の押出量を決定する制御部と、を備えている。【選択図】図１７
2016045593.tif 000002
【特許請求の範囲】
【請求項１】
紙葉類を受け入れる受入部と、
前記受入部で受け入れられた紙葉類を搬送する搬送部と、
外部に開口した開口部を有するとともに、前記搬送部で搬送された紙葉類を集積する集積部と、
前記集積部で集積された紙葉類を前記開口部に向かって押し出す押出部と、
前記紙葉類の種類又は前記紙葉類の長さに基づいて、前記押出部の押出量を決定する制御部と、
を備えたことを特徴とする紙葉類処理装置。
【請求項２】
前記搬送部で搬送される前記紙葉類の種類を検知する第一検知部をさらに備え、
前記制御部は、前記第一検知部で検知された前記紙葉類の種類に基づいて、前記押出部の押出量を決定することを特徴とする請求項１に記載の紙葉類処理装置。
【請求項３】
前記搬送部で搬送される前記紙葉類の長さを検知する第二検知部をさらに備え、
前記制御部は、前記第二検知部で検知された前記紙葉類の長さに基づいて、前記押出部の押出量を決定することを特徴とする請求項１又は２のいずれかに記載の紙葉類処理装置。
【請求項４】
前記紙葉類の長さは、前記集積部内において前記押出部が前記紙葉類を前記開口部に向かって押し出す方向に沿った前記紙葉類の長さであることを特徴とする請求項１乃至３のいずれか１項に記載の紙葉類処理装置。
【請求項５】
前記制御部は、前記集積部に集積される前記紙葉類として予め指定された前記紙葉類の種類に基づいて、前記押出部の押出量を決定することを特徴とする請求項１乃至４のいずれか１項に記載の紙葉類処理装置。
【請求項６】
前記集積部で集積される前記紙葉類の種類を入力するための操作部をさらに備えたことを特徴とする請求項５に記載の紙葉類処理装置。
【請求項７】
紙葉類を受け入れる受入部と、
前記受入部で受け入れられた紙葉類を搬送する搬送部と、
外部に開口した開口部を有するとともに、前記搬送部で搬送された紙葉類を集積する集積部と、
前記集積部で集積された紙葉類を前記開口部に向かって押し出す押出部と、
前記集積部に集積された前記紙葉類の集積状態を検知するための第三検知部と、
前記第三検知部による検知結果に基づいて、前記押出部の押出量を決定する制御部と、
を備えたことを特徴とする紙葉類処理装置。
【請求項８】
前記第三検知部は、前記集積部内に設けられた複数の第三検知部分を有し、
前記複数の第三検知部分は、前記集積部内において前記押出部が前記紙葉類を前記開口部に向かって押し出す方向に沿って、異なる位置に配置されることを特徴とする請求項７に記載の紙葉類処理装置。
【請求項９】
前記第三検知部は少なくとも一つ以上の光学センサを含み、
前記制御部は、前記光学センサの遮光状態又は透光状態に基づいて、前記押出部の押出量を決定することを特徴とする請求項７又は８のいずれかに記載の紙葉類処理装置。
【請求項１０】
紙葉類を受け入れる受入部と、
前記受入部で受け入れられた紙葉類を搬送する搬送部と、
外部に開口した開口部を有するとともに、前記搬送部で搬送された紙葉類を集積する集積部と、
前記集積部で集積された紙葉類を前記開口部に向かって押し出す押出部と、
前記集積部内において前記押出部が前記紙葉類を前記開口部に向かって押し出す際に、当該紙葉類の位置を検知するための第四検知部と、
前記第四検知部からの検知結果に基づいて、前記押出部の押出量を制御する制御部と、
を備えたことを特徴とする紙葉類処理装置。
【請求項１１】
前記第四検知部は少なくとも一つ以上の光学センサを含み、
前記制御部は、前記光学センサの遮光状態又は透光状態の変化に基づいて、前記押出部の押出量を制御することを特徴とする請求項１０に記載の紙葉類処理装置。
【請求項１２】
前記集積部は複数設けられ、
２つ以上の前記集積部の各々に前記押出部が設けられ、
前記制御部は各押出部の押出量を個別に決定又は制御できることを特徴とする請求項１乃至１１のいずれか１項に記載の紙葉類処理装置。
【請求項１３】
紙葉類を受け入れる受入部と、
前記受入部で受け入れられた紙葉類を搬送する搬送部と、
外部に開口した開口部を有するとともに、前記搬送部で搬送された紙葉類を集積する集積部と、
前記集積部で集積された紙葉類を前記開口部に向かって押し出す押出部と、
前記集積部に集積された前記紙葉類を検知するための第五検知部と、
前記紙葉類が前記集積部に搬送されたことを検知するための第六検知部と、
を備え、
前記第五検知部による検知結果と前記第六検知部による検知結果とが所定の条件を満たすときに、前記押出部が前記開口部に向かって押し出されることを特徴とする紙葉類処理装置。
【請求項１４】
前記所定の条件は、前記第六検知部によって前記紙葉類が前記集積部に搬送されたと検知されたにもかかわらず、前記第五検知部によって当該集積部に前記紙葉類が集積されていないと検知された場合に満たされることを特徴とする請求項１３に記載の紙葉類処理装置。
【請求項１５】
前記所定の条件は、前記第六検知部によって前記紙葉類が前記集積部に搬送されたと検知されたにもかかわらず、前記第五検知部によって当該集積部に前記紙葉類が集積されていないと検知された場合であって、かつ、前記第六検知部によって前記集積部に搬送されたと検知された前記紙葉類の枚数が所定枚数以下である場合に満たされることを特徴とする請求項１３又は１４のいずれかに記載の紙葉類処理装置。
【発明の詳細な説明】
【技術分野】
【０００１】
本発明は、紙葉類を処理する紙葉類処理装置に関する。
【背景技術】
【０００２】
従来から、紙幣等の紙葉類を分類して開口部を有する集積部に集積する紙葉類処理装置が知られている（例えば特許文献１参照）。特許文献１に開示された紙葉類処理装置は、集積部の収容スペースに収容された紙葉類を開口部に向かって押し出すための押出部を備えている。このため、搬送部から集積部に送られる紙葉類が当該集積部の後面側（奥側）に集積された場合であっても、押出部によって当該紙葉類を当該集積部の開口部に向かって押出すことにより、この紙葉類を取り出しやすくすることができる。
【先行技術文献】
【特許文献】
【０００３】
【特許文献１】国際公開公報２００９／０２８０７２号
【発明の概要】
【発明が解決しようとする課題】
【０００４】
しかしながら、従来の紙葉類処理装置においては、紙葉類の大きさに関係なく押出部による紙葉類の押出量が一定となっている。このため、押出部による紙葉類の押出量が小さい場合であって集積部に集積された紙葉類の大きさが小さいときには、押出部で紙葉類を押し出しても、当該紙葉類を集積部から取り出すことが依然として難しくなる場合がある。他方、大きさの小さい紙葉類を取り出しやすくするために押出部による紙葉類の押出量を大きくすると、大きさの大きな紙葉類が集積部から開口部を介して落下してしまう可能性がある。つまり、従来の紙葉類処理装置では、紙葉類の大きさに合わせて押出部による紙葉類の押出量を適切な値にすることができないという課題がある。
【０００５】
なお、特許文献１に開示された紙葉類処理装置では押出部の位置を検出する複数の検知部を設ける態様となっているが、紙葉類の大きさに応じて押出部の押出量が決定されたり制御されたりしないことから、やはり、上述した課題を解決することはできない。
【０００６】
本発明は、このような点を鑑みてなされたものであり、紙葉類の大きさに合わせて押出部による紙葉類の押出量を適切な値にすることができる紙葉類処理装置を提供する。
【課題を解決するための手段】
【０００７】
本発明の第一例による紙葉類処理装置は、
紙葉類を受け入れる受入部と、
前記受入部で受け入れられた紙葉類を搬送する搬送部と、
外部に開口した開口部を有するとともに、前記搬送部で搬送された紙葉類を集積する集積部と、
前記集積部で集積された紙葉類を前記開口部に向かって押し出す押出部と、
前記紙葉類の種類又は前記紙葉類の長さに基づいて、前記押出部の押出量を決定する制御部と、
を備える。
【０００８】
本発明の第一例による紙葉類処理装置は、
前記搬送部で搬送される前記紙葉類の種類を検知する第一検知部をさらに備え、
前記制御部が、前記第一検知部で検知された前記紙葉類の種類に基づいて、前記押出部の押出量を決定してもよい。
【０００９】
本発明の第一例による紙葉類処理装置は、
前記搬送部で搬送される前記紙葉類の長さを検知する第二検知部をさらに備え、
前記制御部が、前記第二検知部で検知された前記紙葉類の長さに基づいて、前記押出部の押出量を決定してもよい。
【００１０】
本発明の第一例による紙葉類処理装置において、
前記紙葉類の長さは、前記集積部内において前記押出部が前記紙葉類を前記開口部に向かって押し出す方向に沿った前記紙葉類の長さであってもよい。
【００１１】
本発明の第一例による紙葉類処理装置において、
前記制御部は、前記集積部に集積される前記紙葉類として予め指定された前記紙葉類の種類に基づいて、前記押出部の押出量を決定してもよい。
【００１２】
本発明の第一例による紙葉類処理装置は、
前記集積部で集積される前記紙葉類の種類を入力するための操作部をさらに備えてもよい。
【００１３】
本発明の第二例による紙葉類処理装置は、
紙葉類を受け入れる受入部と、
前記受入部で受け入れられた紙葉類を搬送する搬送部と、
外部に開口した開口部を有するとともに、前記搬送部で搬送された紙葉類を集積する集積部と、
前記集積部で集積された紙葉類を前記開口部に向かって押し出す押出部と、
前記集積部に集積された前記紙葉類の集積状態を検知するための第三検知部と、
前記第三検知部による検知結果に基づいて、前記押出部の押出量を決定する制御部と、
を備える。
【００１４】
本発明の第二例による紙葉類処理装置において、
前記第三検知部は、前記集積部内に設けられた複数の第三検知部分を有し、
前記複数の第三検知部分は、前記集積部内において前記押出部が前記紙葉類を前記開口部に向かって押し出す方向に沿って、異なる位置に配置されてもよい。
【００１５】
本発明の第二例による紙葉類処理装置において、
前記第三検知部は少なくとも一つ以上の光学センサを含み、
前記制御部は、前記光学センサの遮光状態又は透光状態に基づいて、前記押出部の押出量を決定してもよい。
【００１６】
本発明の第三例による紙葉類処理装置は、
紙葉類を受け入れる受入部と、
前記受入部で受け入れられた紙葉類を搬送する搬送部と、
外部に開口した開口部を有するとともに、前記搬送部で搬送された紙葉類を集積する集積部と、
前記集積部で集積された紙葉類を前記開口部に向かって押し出す押出部と、
前記集積部内において前記押出部が前記紙葉類を前記開口部に向かって押し出す際に、当該紙葉類の位置を検知するための第四検知部と、
前記第四検知部からの検知結果に基づいて、前記押出部の押出量を制御する制御部と、
を備える。
【００１７】
本発明の第三例による紙葉類処理装置において、
前記第四検知部は少なくとも一つ以上の光学センサを含み、
前記制御部は、前記光学センサの遮光状態又は透光状態の変化に基づいて、前記押出部の押出量を制御してもよい。
【００１８】
本発明の第一例、第二例及び第三例による紙葉類処理装置において、
前記集積部は複数設けられ、
２つ以上の前記集積部の各々に前記押出部が設けられ、
前記制御部は各押出部の押出量を個別に決定又は制御できてもよい。
【００１９】
本発明の第四例による紙葉類処理装置は、
紙葉類を受け入れる受入部と、
前記受入部で受け入れられた紙葉類を搬送する搬送部と、
外部に開口した開口部を有するとともに、前記搬送部で搬送された紙葉類を集積する集積部と、
前記集積部で集積された紙葉類を前記開口部に向かって押し出す押出部と、
前記集積部に集積された前記紙葉類を検知するための第五検知部と、
前記紙葉類が前記集積部に搬送されたことを検知するための第六検知部と、
を備え、
前記第五検知部による検知結果と前記第六検知部による検知結果とが所定の条件を満たすときに、前記押出部が前記開口部に向かって押し出される。
【００２０】
本発明の第四例による紙葉類処理装置において、
前記所定の条件は、前記第六検知部によって前記紙葉類が前記集積部に搬送されたと検知されたにもかかわらず、前記第五検知部によって当該集積部に前記紙葉類が集積されていないと検知された場合に満たされてもよい。
【００２１】
本発明の第四例による紙葉類処理装置において、
前記所定の条件は、前記第六検知部によって前記紙葉類が前記集積部に搬送されたと検知されたにもかかわらず、前記第五検知部によって当該集積部に前記紙葉類が集積されていないと検知された場合であって、かつ、前記第六検知部によって前記集積部に搬送されたと検知された前記紙葉類の枚数が所定枚数以下である場合に満たされてもよい。
【発明の効果】
【００２２】
本発明によれば、紙葉類の種類又は紙葉類の長さに基づいて押出部の押出量を決定したり、押出部が紙葉類を開口部に向かって押し出す際に当該紙葉類の位置を検知して押出部の押出量を制御したりする。このため、紙葉類の大きさに合わせて押出部による紙葉類の押出量を適切な値にすることができる。
【図面の簡単な説明】
【００２３】
【図１】図１は、本発明の第１の実施の形態による紙葉類処理装置の外観を示す側方図である。
【図２】図２は、本発明の第１の実施の形態による紙葉類処理装置の内部構成を示す側方断面図である。
【図３】図３は、本発明の第１の実施の形態による紙葉類処理装置の制御ブロック図である。
【図４】図４は、本発明の第１の実施の形態による紙葉類処理装置で用いられる集積部の内部構造を示した平面断面図であって、押出部が退避位置にある状態を示した平面断面図である。
【図５】図５は、本発明の第１の実施の形態による紙葉類処理装置で用いられる集積部の内部構造を示した平面断面図であって、押出部が押出位置にある状態を示した平面断面図である。
【図６】図６は、本発明の第１の実施の形態による紙葉類処理装置で用いられる一方の集積部の内部構造を示した斜視図であって、押出部が退避位置にある状態を示した斜視図である。
【図７】図７は、本発明の第１の実施の形態による紙葉類処理装置で用いられる一方の集積部の内部構造を示した斜視図であって、押出部が押出位置にある状態を示した斜視図である。
【図８】図８は、本発明の第１の実施の形態による紙葉類処理装置で用いられる一方の集積部に設けられた押出部の側方図であって、押出部が退避位置にある状態を示した側方図である。
【図９】図９は、本発明の第１の実施の形態による紙葉類処理装置で用いられる一方の集積部に設けられた押出部の側方図であって、押出部が押出位置にある状態を示した側方図である。
【図１０】図１０は、本発明の第１の実施の形態による紙葉類処理装置で用いられる他方の集積部の内部構造を示した斜視図であって、押出部が退避位置にある状態を示した斜視図である。
【図１１】図１１は、本発明の第１の実施の形態による紙葉類処理装置で用いられる他方の集積部の内部構造を示した斜視図であって、押出部が押出位置にある状態を示した斜視図である。
【図１２】図１２は、本発明の第１の実施の形態による紙葉類処理装置で用いられる他方の集積部に設けられた押出部の側方図であって、押出部が退避位置にある状態を示した側方図である。
【図１３】図１３は、本発明の第１の実施の形態による紙葉類処理装置で用いられる他方の集積部に設けられた押出部の側方図であって、押出部が押出位置にある状態を示した側方図である。
【図１４】図１４（ａ）−（ｃ）は、本発明の第１の実施の形態による紙葉類処理装置で用いられる集積部の側方図であって、当該集積部で紙葉類が集積される態様の一例を説明するための側方図である。
【図１５】図１５（ａ）は、本発明の第１の実施の形態の第四の態様による紙葉類処理装置で用いられる一方の集積部に設けられた押出部の平面断面図であって、押出部が退避位置にある状態を示した平面断面図であり、図１５（ｂ）は、図１５（ａ）で退避位置にあった押出部が押出位置にある状態を示した平面断面図であり、図１５（ｃ）は、本発明の第１の実施の形態の第四の態様による紙葉類処理装置で用いられる他方の集積部に設けられた押出部の平面断面図であって、押出部が退避位置にある状態を示した平面断面図であり、図１５（ｄ）は、図１５（ｃ）で退避位置にあった押出部が押出位置にある状態を示した平面断面図である。
【図１６】図１６（ａ）は、本発明の第１の実施の形態の第五の態様による紙葉類処理装置で用いられる一方の集積部に設けられた押出部の平面断面図であって、押出部が退避位置にある状態を示した平面断面図であり、図１６（ｂ）は、図１６（ａ）で退避位置にあった押出部が押出位置にある状態を示した平面断面図であり、図１６（ｃ）は、本発明の第１の実施の形態の第五の態様による紙葉類処理装置で用いられる他方の集積部に設けられた押出部の平面断面図であって、押出部が退避位置にある状態を示した平面断面図であり、図１６（ｄ）は、図１６（ｃ）で退避位置にあった押出部が押出位置にある状態を示した平面断面図である。
【図１７】図１７（ａ）は、本発明の第１の実施の形態による紙葉類処理装置で用いられる集積部に蓋部材が設けられた態様を示した平面断面図であって、押出部が退避位置にある状態を示した平面断面図であり、図１７（ｂ）は、図１７（ａ）で退避位置にあった押出部が押出位置にある状態を示した平面断面図である。
【図１８】図１８（ａ）は、本発明の第２の実施の形態による紙葉類処理装置で用いられる集積部を示した平面断面図であって、押出部が退避位置にある状態を示した平面断面図であり、図１８（ｂ）は、図１８（ａ）で退避位置にあった押出部が押出位置にある状態を示した平面断面図である。
【図１９】図１９は、本発明で用いられうる別の例による紙葉類処理装置の外観を示す斜視図である。
【発明を実施するための形態】
【００２４】
実施の形態
《構成》
以下、本発明に係る紙葉類処理装置の実施の形態について、図面を参照して説明する。ここで、図１乃至図１７は本発明の実施の形態を説明するための図である。なお、本願における「紙葉類」とは、紙幣、小切手、商品券、帳票等のことを意味するが、代表的なものとしては紙幣を意味する。
【００２５】
本実施の形態の紙葉類処理装置１００は、図２に示すように、筐体１０と、紙葉類を受け入れる受入部２９と、受入部２９で受け入れられた紙葉類を一枚ずつ筐体１０内に取り込む取込部２０と、取込部２０で取り込まれた紙葉類をほぼ水平方向の一方向（図２では左方向）に沿って搬送する第一搬送部３１と、第一搬送部３１で搬送される紙葉類を識別する識別部６０と、を備えている。本実施の形態では、紙葉類は短手方向に沿って搬送されるようになっており、受入部２９には、短手方向が図２の左右方向に延び、長手方向が図２の紙面の法線方向に延びるように、紙葉類が載置される。
【００２６】
識別部６０は、例えば、蛍光を用いて紙葉類に関する情報を取得する蛍光センサ、赤外光を用いて紙葉類に関する情報を取得する赤外光センサ、紙葉類の厚みを検出する厚み検出センサ、磁気を用いて紙葉類に関する情報を取得する磁気センサ、赤色光を用いて紙葉類に関する情報を取得する赤色光センサ、赤外光と緑色光により紙面両面の反射光と透過光を検出するラインセンサ等を有していてもよい。
【００２７】
また、紙葉類処理装置１００は、第一搬送部３１の下方に位置し、識別部６０で識別された紙葉類を一方向と逆方向の他方向（図２では右方向）に沿って搬送する第二搬送部３３と、第一搬送部３１と第二搬送部３３との間に位置し、これら第一搬送部３１と第二搬送部３３とを連結する中間搬送部３２と、第二搬送部３３の下方に位置し、第二搬送部３３で搬送された紙葉類を集積するとともに前面側で開口した開口部８０ｈ，９０ｈ（図１参照）を有する複数（本実施の形態では２つ）の集積部８０，９０も備えている。各集積部８０，９０には、集積部８０，９０の各々に対応して、第二搬送部３３で搬送された紙葉類を集積部８０，９０内に集積させるための羽根車１２１，１２２が設けられている。
【００２８】
また、集積部８０，９０には、集積部８０，９０に集積された紙葉類を開口部８０ｈ，９０ｈに向かって（すなわち前面側に）押し出すための押出部８３，９３（図４及び図５参照）が設けられている。この押出部８３，９３は、予め定まった枚数の紙葉類が集積部８０，９０に集積された後で、当該集積部８０，９０に集積された紙葉類を当該集積部８０，９０の前面側の開口部８０ｈ，９０ｈから筐体１０の外部に押し出すようになっている。このため、本実施の形態によれば、操作者は、確実に予め定まった枚数だけ紙葉類を集積部８０，９０に集積させ、その後で、当該紙葉類を集積部８０，９０から容易に取り出すことができる。なお、押出部８３，９３は、受入部２９に載置された紙葉類の全てが集積部８０，９０及び／又は後述するリジェクト部１１０に振り分けられた後で、集積部８０，９０に集積された紙葉類を各集積部８０，９０の前面側の開口部８０ｈ，９０ｈから筐体１０の外部に押し出すようになってもよい。また、押出部８３，９３によって集積された紙葉類が押し出される際には、一般には、集積された紙葉類がずれることなく一体となって押し出されることになる。
【００２９】
なお、図６、図７、図１０及び図１１に示すように、集積部８０，９０の底面には切り欠き部分８０ｇ，９０ｇが形成されている。この欠き部分８０ｇ，９０ｇに指等をいれることで、押出部８３，９３により開口部８０ｈ，９０ｈに向かって押し出された紙葉類の束を、操作者は容易に取り出すことができる。ちなみに、図１７に示すように、開口部８０ｈ，９０ｈには、当該開口部８０ｈ，９０ｈを開閉自在で覆う蓋部材１８０が設けられてもよい。この蓋部材１８０は、例えば、蓋本体部１８１と、この蓋本体部１８１を集積部８０，９０に対して搖動自在に支持する支持部１８２とを有している。図１７に示す態様では、蓋本体部１８１は板バネ等の弾性部材によって閉状態になるよう付勢力を受けており、紙葉類が押出部８０，９０によって押し出されることで、当該紙葉類が蓋本体部１８１の裏面に当接し、その結果、蓋本体部１８１が開かれることになる。
【００３０】
図６乃至図１３に示すように、押出部８３，９３は、集積部８０，９０に収容された紙葉類を開口部８０ｈ，９０ｈに向かって押し出すための押出部材８４，９４と、この押出部材８４，９４を開口部８０ｈ，９０ｈに向かって駆動する押出部材駆動機構８５，９５とを有している。
【００３１】
押出部材８４，９４は、押出部材駆動機構８５，９５により駆動されることによって、各集積部８０，９０の前後方向（図４及び図５の上下方向）に往復移動するようになっている。具体的には、押出部材８４，９４は、各集積部８０，９０に紙葉類が集積される際にこの紙葉類から退避したような退避位置（図４参照）と、この退避位置よりも各集積部８０，９０の開口部８０ｈ，９０ｈに接近した位置である押出位置（図５参照）との間で往復移動するようになっている。そして、押出部材８４，９４は集積部８０，９０に紙葉類が収容された後で押出位置に移動し、その結果、集積部８０，９０に収容された紙葉類が開口部８０ｈ，９０ｈに向かって押し出される。その後、押出部材８４，９４は押出位置（図５及び図７参照）から退避位置（図４及び図６参照）まで戻る。
【００３２】
図６及び図１０に示すように、押出部材８４，９４は、約１２０°で「へ」の字形状に折れ曲がった板状の部材からなる前段部分８４ａ，９４ａと、当該前段部分８４ａ，９４ａに固定された後段部分８４ｂ，９４ｂとを有している。後段部分８４ｂ，９４ｂには、各集積部８０，９０に収容された紙葉類に接触してこの紙葉類を開口部８０ｈ，９０ｈに向かって押し出す押出面８４ｃ，９４ｃが設けられている。前段部分８４ａ，９４ｂは、図６及び図１０に示すような退避位置にあるときにおいて集積部８０，９０の底面及び側面の一部を構成するようになっている（図１４（ａ）（ｃ）参照）。他方、前段部分８４ａ，９４ａが押出位置に移動したときには、図７及び図１１に示すように、前段部分８４ａ，９４ａは底板８０ａ，９０ａ及び側壁８０ｂ，９０ｂの裏側にもぐるようになっている（図１４（ｂ）参照）。ここで、前段部分８４ａ，９４ａは、底板８０ａ，９０ａの裏面に噛み合うような櫛歯形状となっている。このため、各集積部８０，９０に収容された紙葉類が、当該各集積部８０，９０を構成する底板８０ａ，９０ａと前段部分８４ａ，９４ａとの間の隙間に入り込んでしまい各集積部８０，９０において紙葉類の詰まり等のトラブルが発生することを防止することができるようになっている。
【００３３】
後段部分８４ｂ，９４ｂが図６及び図１０に示す退避位置にあるときには、当該後段部分８４ｂ，９４ｂに設けられた押出面８４ｃ，９４ｃが各集積部８０，９０の後面の一部を構成するようになっている。他方、この後段部分８４ｂ，９４ｂが押出位置に移動したときには図７及び図１１に示すように各集積部８０，９０内に進出するようになっている。後段部分８４ｂ，９４ｂは、後面側の側壁８０ｃ，９０ｃと噛み合うような櫛歯形状となっている。このため、各集積部８０，９０に収容された紙葉類が、当該核集積部８０，９０を構成する後面側の側壁８０ｃ，９０ｃと後段部分８４ｂ，９４ｂとの間の隙間に入り込んでしまい各集積部８０，９０において紙葉類の詰まり等のトラブルが発生することを防止することができるようになっている。
【００３４】
図６乃至図１３に示すように、押出部材駆動機構８５，９５は例えばモータ等の駆動部８５ａ，９５ａを有し、この駆動部８５ａ，９５ａが図８、図９、図１２及び図１３に示す第一の軸８６ａ，９６aを中心として略長方形形状の第一のカム８６，９６を回転させるようになっている。この第一のカム８６，９６には突起部８６ｂ，９６ｂが形成されている。また、第一のカム８６，９６と押出部材８４，９４の前段部分８４ａ，９４ａとを接続する略棒形状の第二のカム８７，９７が設けられており、この第二のカム８７，９７はその中央部分に設けられた第二の軸８７ａ，９７ａを中心として回転するようになっている。第二のカム８７，９７の一端８７ｃ，９７ｃは前段部分８４ａ，９４ａの裏面に回転自在に取り付けられており、第二のカム８７，９７の他端には当該第二のカム８７，９７に沿って延びる細長い貫通孔８７ｂ，９７ｂが形成されている。この貫通孔８７ｂ，９７ｂ内には上述した突起部８６ｂ，９６ｂが嵌め込まれており、第一のカム８６，９６が第一の軸８６ａ，９６aを中心として回転すると、この第一のカム８６，９６の突起部８６ｂ，９６ｂが細長い貫通孔８７ｂ，９７ｂ内を移動するとともに、第二のカム８７，９７が第二の軸８７ａ，９７ａを中心として揺動するようになっている。また、押出部材８４，９４の前段部分８４ａ，９４ａ及び後段部分８４ｂ，９４ｂを一定の方向（図８、図９、図１２及び図１３の左右方向）に案内する案内レール８８，９８が各集積部８０，９０に設置されている。
【００３５】
押出部材駆動機構８５，９５と押出部材８４，９４との間に上述のような第一のカム８６，９６と第二のカム８７，９７が設けられていることにより、押出部材駆動機８５，９５が第一の軸８６ａ，９６aを中心として第１のカム８６，９６を回転させると第二のカム８７，９７は第二の軸８７ａ，９７ａを中心として図８及び図１２に示す位置と図９及び図１３に示す位置との間で揺動する。そして、この第二のカム８７，９７の一端８７ｃ，９７ｃに取り付けられた押出部材８４，９４も案内レール８８，９８に沿って図８及び図１２に示す位置（退避位置）と図９及び図１３に示す位置（押出位置）との間で往復移動するようになる。
【００３６】
ここで、押出部材８４，９４が退避位置から押出位置に移動する際等において、各集積部８０，９０を構成する底板８０ａ，９０ａや側壁８０ｃ，９０ｃと押出部材８４，９４との間で紙葉類が詰まってしまい当該押出部材８４，９４の動作が停止してしまった場合であっても、操作者は手動で押出部材８４，９４を押出位置から退避位置に戻すことによって、この詰まった紙葉類を取り出すことができる。
【００３７】
図２に示すように、本実施の形態では、搬送部３０が、第一搬送部３１、中間搬送部３２及び第二搬送部３３を有しており、これら第一搬送部３１、中間搬送部３２及び第二搬送部３３は略Ｕ字形状となっている。そして、取込部２０によって筐体１０の内部に取り込まれた紙葉類は、第一搬送部３１、中間搬送部３２、第二搬送部３３の順に１枚ずつ搬送されることとなる。第一搬送部３１、中間搬送部３２及び第二搬送部３３はそれぞれ、搬送機構が組み合わされたものからなっている。この搬送機構は、一対または３以上の搬送ローラと、各搬送ローラに張架された例えばゴムベルト等の搬送ベルトとから構成されてもよい。なお、この搬送機構は、紙葉類に接する複数の搬送ローラと、各搬送ローラを駆動するゴムベルト等の駆動ベルトとから構成されていてもよい。
【００３８】
図２に示すように、取込部２０は、紙葉類の筐体１０内への繰り出しを行うフィードローラ２１と、フィードローラ２１に対向するよう設けられ当該フィードローラ２１との間にゲート部を形成する逆転ローラ２２と、受入部２９に収容された紙葉類をフィードローラ２１に蹴り出すキッカローラ２３と、キッカローラ２３により蹴りだされた紙葉類を確実にゲート部に取り込むための補助ローラ２４と、摩擦係数がフィードローラ２１よりも高くなっており、フィードローラ２１と逆転ローラ２２との間を通過した紙葉類を確実に第一搬送部３１内に取り込むためのピンチローラ２５とを有している。
【００３９】
上述した識別部６０は、第一搬送部３１で搬送される紙幣を含む紙葉類の正損、真偽、金種、方向、表裏等を識別するようになっている。識別部６０では、紙葉類が斜行していないか、紙葉類が重送していないか、前後の紙葉類が連鎖していないか等の搬送状態も識別される。識別部６０による識別結果は、紙葉類処理装置１００を制御する装置制御部１５０（図３参照）に送られることとなる。なお、この装置制御部１５０は特許請求の範囲の「制御部」に含まれている。
【００４０】
図１に示すように、本実施の形態の紙葉類処理装置１００は、筐体１０の正面側に、操作者からの入力を受け付けるとともに、様々な情報を表示し、例えばタッチパネル等からなる操作表示部５も有している。なお、本実施の形態では、操作表示部５が、操作者からの入力を含む操作を受け付ける操作部としての役割と、様々な情報を表示する表示部としての役割の両方を兼ねているが、このような態様に限られることはなく、操作部と表示部とが別々に設けられていてもよい。なお一例として、操作表示部５は７インチ程度の大きさからなる表示画面５ａを有している。本実施の形態の操作表示部５は、特許請求の範囲に記載された「操作部」に含まれている。
【００４１】
図１及び図２に示すように、本実施の形態では、前面側から見た場合に２つの集積部８０，９０が左右方向で並列に配設されている。そして、各集積部８０，９０は、筐体１０内に取り込まれた紙葉類のうち識別部６０により所定の条件を満たす紙葉類を立位状態（水平方向に対して４５度以上の角度）で積層して収容するようになっている。
【００４２】
本実施の形態では、集積部８０，９０の開口した側を「前面側」と定義付けて説明する。なお、筐体１０の側面側にも集積部８０，９０の開口部８０ｈ，９０ｈを設けてもよいが、このような態様であっても、集積部８０，９０に集積された紙葉類は、主に前面側方向に取り出される。
【００４３】
図２に示すように、第二搬送部３３と集積部８０，９０との間には、これら第二搬送部３３と集積部８０，９０とを連結する分岐搬送部７１，７２が設けられている。また、各集積部８０，９０に対応して、第二搬送部３３によって搬送される紙葉類を各分岐搬送部７１，７２に分岐する例えば爪形状からなる分岐部７６，７７が設けられている。
【００４４】
図１及び図２で示した態様では、２つの集積部８０，９０の水平方向の間に各集積部８０，９０に対応した羽根車１２１，１２２が設けられ、前面側から見て左側に位置する羽根車１２１と前面側から見て右側に位置する羽根車１２２の回転方向は互いに逆方向になっている。より具体的には、前面側から見て左側に位置する集積部８０の右側下方に、前面側から見て反時計回りに回転する羽根車１２１が設けられ、前面側から見て右側に位置する集積部９０の左側下方に、前面側から見て時計回りに回転する羽根車１２２が設けられている。なお、これらの羽根車１２１，１２２は、各分岐搬送部７１，７２から各集積部８０，９０内に向かって放出される紙葉類を、隣り合う羽根部分の間のスペースに受け入れ、紙葉類の向きや位置が整えられた状態で当該紙葉類を各集積部８０，９０に集積させる。 
【００４５】
図２に示すように、第二搬送部３３の終端には、集積部８０，９０に集積されない紙葉類を集積するためのリジェクト部１１０が設けられている。本実施の形態では、このリジェクト部１１０の少なくとも一部は、紙葉類の搬送方向において最も下流側に位置する集積部９０の上方に設けられている。
【００４６】
第二搬送部３３の終端には、紙葉類を筐体１０内からリジェクト部１１０へ繰り出す放出ローラ１１１と、この放出ローラ１１１に対向するよう設けられた対向ローラ１１２と、放出ローラ１１１と同軸に設けられた回転式の札叩きゴム１１３とを有する放出部１１４が設けられている。そして、第二搬送部３３の終端に送られた紙葉類は、放出ローラ１１１と対向ローラ１１２の間からリジェクト部１１０に放出されるようになっている。そして、このように放出させられた紙葉類は、札叩きゴム１１３でその後端縁が叩かれてリジェクト部１１０内に集積されるようになっている。 
【００４７】
また、リジェクト部１１０の端部（図２の右側端部）には、放出ローラ１１１と対向ローラ１１２の間から放出された紙葉類がリジェクト部１１０からはみ出して外部へ放出されるのが防止するためのストッパ１１５が設けられている。このストッパ１１５は時計回りに手動で回転させることができるようになっており、操作者が手動でこのストッパ１１５を時計回りに回転させることにより、リジェクト部１１０に収容された紙葉類を自在に取り出すことができるようになっている。 
【００４８】
また、本実施の形態の第二搬送部３３は、紙葉類の搬送方向における下流側において、リジェクト部１１０に向かって上方に傾斜する傾斜部３４を有している。
【００４９】
本実施の形態では、集積部８０，９０は、水平方向に対して４５度以上の角度で傾斜した状態で紙葉類を集積するようになっている。図１及び図２で示した態様では、前面側から見て左側の集積部８０が、水平方向の一方向（図２の左方向。第二搬送部３３における紙葉類の搬送方向と逆方向。）に対して４５度以上の角度で傾斜した状態で紙葉類を集積し、前面側から見て右側の集積部９０は、水平方向の一方向の逆方向（図２の右方向。第二搬送部３３における紙葉類の搬送方向と同じ方向。）に対して４５度以上の角度で傾斜した状態で紙葉類を集積するようになっている。なお、集積部８０，９０は水平方向に対して４５度以上の角度で傾斜した状態で紙葉類を集積するようになっていることが好ましいが、集積部８０，９０は水平方向に対して６０度〜７０度の角度で傾斜した状態で紙葉類を集積し、紙葉類を立位状態で集積するようになっていることがより好ましい。
【００５０】
また、図１及び図２で示した態様では、前面側から見て左側の集積部８０には、第二搬送部３３による紙葉類の搬送方向と逆方向（図２の略左側の方向）の成分を含む方向で紙葉類が順次繰り出され、前面側から見て右側の集積部９０には、第二搬送部３３による紙葉類の搬送方向（図２の略右側の方向）の成分を含む方向で紙葉類が順次繰り出されるようになっている。
【００５１】
また、本実施の形態において、図１及び図２で示した態様では、上述したように、前面側から見て左側に位置する羽根車１２１は反時計回りに回転し、前面側から見て右側に位置する羽根車１２２は時計回りに回転することから、羽根車１２１の上部が第二搬送部３３による紙葉類の搬送方向と逆方向の成分を含む方向で回転され、羽根車１２２の上部が第二搬送部３３による紙葉類の搬送方向の成分を含む方向で回転されることとなる。
【００５２】
図２に示すように、取込部２０には、受入部２９に紙葉類が載置されているか否かを検知するセンサＳ１が設けられている。また、第一搬送部３１の入口部分にはセンサＳ２が設けられており、このセンサＳ２は、紙葉類が筐体１０内に確実に取り込まれたことを検知するようになっている。
【００５３】
センサＳ３は中間搬送部３２に設けられ、センサＳ４は上流側の分岐部７６の下流側に設けられ、センサＳ５は下流側の分岐部７７の下流側に設けられている。より具体的には、センサＳ３は中間搬送部３２に設けられており、第二搬送部３３において搬送される全ての紙葉類を検知するようになっている。センサＳ４は上流側の分岐部７６の下流側に設けられており、第二搬送部３３において搬送される紙葉類のうち分岐部７６により分岐搬送部７１に分岐されなかった紙葉類のみを検知するようになっている。また、センサＳ５は下流側の分岐部７７の下流側に設けられており、第二搬送部３３において搬送される紙葉類のうち二つの分岐部７６，７７によって分岐搬送部７１，７２に分岐されなかった紙葉類を検知するようになっている。 
【００５４】
各集積部８０，９０にはそれぞれセンサ８９，９９が設けられている。そして、これらのセンサ８９，９９は、各集積部８０，９０に紙葉類が収容されているか否かを検知するようになっている。また、リジェクト部１１０にもセンサＳ６が設けられており、このセンサＳ６は、リジェクト部１１０に紙葉類が収容されているか否かを検知するようになっている。 
【００５５】
本実施の形態の装置制御部１５０は、紙葉類の種類又は紙葉類の長さに基づいて、押出部８３，９３の押出量（より具体的には押出部材８４，９４の押出量）を決定するようになっている。なお、押出部８３，９３の押出量を決定する際に用いられる紙葉類の種類とは、通貨の種類、紙幣の金種、紙幣の刷種や、小切手、商品券及び帳票の種類等のことを意味する。ちなみに、米国ドルでは金種によらず紙幣が概ね同じ大きさとなっていることから、米国ドルであると識別するだけで押出量を決定することができる。
【００５６】
本実施の形態における「紙葉類の長さ」には、集積部８０，９０内において押出部８３，９３が開口部８０ｈ，９０ｈに向かって押し出す方向に沿った紙葉類の長さ（本実施の形態では「紙葉類の長手方向の長さ」）と、押出部８３，９３が開口部８０ｈ，９０ｈに向かって押し出す方向と直交する方向の紙葉類の長さ（本実施の形態では「紙葉類の短手方向の長さ」）とが含まれている。本実施の形態では、上述した「集積部８０，９０内において押出部８３，９３が開口部８０ｈ，９０ｈに向かって押し出す方向に沿った紙葉類の長さ」のことを、単に「紙葉類の押出方向に沿った長さ」と言う。
【００５７】
第一の態様としては、識別部６０が、搬送部３０の第一搬送部３１で搬送される紙葉類の種類を検知し、装置制御部１５０が、識別部６０で検知された紙葉類の種類に基づいて、押出部８３，９３の押出量を決定する態様を採用することができる。より具体的には、紙葉類処理装置１００は、識別部６０で検知された紙葉類の種類のうち押出部８３，９３の押出量を決定する際に用いられる紙葉類の種類、つまり、通貨の種類、紙幣の金種、紙幣の刷種や、小切手、商品券及び帳票の種類等と、紙葉類の押出方向に沿った長さ（本実施の形態では「紙葉類の長手方向の長さ」）とを関連付けて記憶した装置記憶部１５５を備えている（図３参照）。そして、識別部６０によって第一搬送部３１で搬送される紙葉類の種類が検知されると、当該紙葉類の種類に関連付けられた紙葉類の押出方向に沿った長さが読み出される。またこの際、当該紙葉類が集積される集積部８０，９０も装置記憶部１５５から読み出される。そして、装置記憶部１５５から読み出された紙葉類の押出方向に沿った長さと、対象となっている紙葉類が集積された集積部８０，９０の情報とに基づいて押出部８３，９３の押出量が決定される。なお、本実施の形態の識別部６０は、特許請求の範囲の「第一検知部」に含まれている。
【００５８】
ところで、押出部８３，９３によって紙葉類が押し出される押出量としては、例えば、押し出されたときに紙葉類の一部が切り欠き部分８０ｇ，９０ｇ上に載置されるように設定することができる。また、このような切り欠き部分８０ｇ，９０ｇがない場合には、押し出されたときに開口部８０ｈ，９０ｈから紙葉類がわずかに飛び出るように設定することもできる。紙葉類を押し出す量は適宜変更することができ、例えば、切り欠き部分８０ｇ，９０ｇ上に飛び出る紙葉類の長さの「絶対値」や開口部８０ｈ，９０ｈから飛び出る長さの「絶対値」を入力して設定することもできる。このことは、以下で説明する各態様にも当てはまる。
【００５９】
第二の態様としては、識別部６０が、搬送部３０の第一搬送部３１で搬送される紙葉類の長さを検知し、装置制御部１５０が、識別部６０で検知された紙葉類の長さに基づいて、押出部８３，９３の押出量を決定する態様を採用することができる。この態様では、当該紙葉類が集積される集積部８０，９０も装置記憶部１５５から読み出される。そして、識別部６０で検知された紙葉類の長さと、対象となっている紙葉類が集積された集積部８０，９０の情報とに基づいて押出部８３，９３の押出量が決定される。なお、本実施の形態の識別部６０は、特許請求の範囲の「第二検知部」に含まれている。
【００６０】
ちなみに、識別部６０で、押出方向に沿った紙葉類の長さと直交する方向の長さ（本実施の形態では「紙葉類の短手方向の長さ」）しか検知できない場合には、以下のような態様を採用することもできる。具体的には、装置記憶部１５５が、「紙葉類の短手方向の長さ」と「紙葉類の長手方向の長さ」とを関連づけて記憶しており、識別部６０で「紙葉類の短手方向の長さ」が検知されると、当該「紙葉類の短手方向の長さ」に関連付けられた「紙葉類の長手方向の長さ」が読み出されることになる。
【００６１】
第三の態様としては、集積部８０，９０に集積される紙葉類の種類に基づいて、押出部８３，９３の押出量を決定する態様を採用することができる。ここで言う紙葉類の種類とは、上述したように押出部８３，９３の押出量を決定する際に用いられる紙葉類の種類であり、例えば通貨の種類、紙幣の金種、紙幣の刷種や、小切手、商品券及び帳票の種類等のことを意味する。
【００６２】
ところで、本実施の形態の集積部８０，９０に集積される紙葉類は、各集積部８０，９０に対して、通貨の種類、貨幣の金種、貨幣の刷種、紙葉類の正損、紙葉類の表裏及び紙葉類の方向等の各々について、指定モード、自動決定モード、動的決定モード、混合モード及び指定外モードのいずれかを設定することができるようになっていてもよい。
【００６３】
ここで、指定モードは、集積部８０，９０に収容される紙葉類の分類用種別の内容を予め指定するモードである。自動決定モードは、１取引分の紙葉類の処理において、識別部６０が指定した順番で（例えば１番目、２番目等に）識別した分類用種別の内容を、対応する集積部８０，９０に収容する紙葉類の内容とするものである。動的決定モードは、貨幣を処理している間に、識別部６０の識別結果に基づいて集積部８０，９０に収容される紙葉類を割り当てるモードであるが、自動決定モードと異なり、何番目の紙葉類であっても割り当て可能となっている。例えば識別した紙葉類の種別が、どの集積部８０，９０にも割り当てられておらず、割当てが決定していない集積部８０，９０のうち、動的決定モードが設定されている集積部８０，９０がある場合、その集積部８０，９０に、識別した紙葉類の内容が割り当てられる。混合モードは、分類用種別の内容を問わず紙葉類を集積するモードである。指定外モードは、他の集積部８０，９０に収容されない紙葉類を集積するモードである。
【００６４】
したがって、第三の態様では、通貨の種類、紙幣の金種、紙幣の刷種、紙葉類の正損、紙葉類の表裏及び紙葉類の方向の各々に対して設定された、指定モード、自動決定モード、動的決定モード、混合モード及び指定外モードに基づいて、集積部８０，９０に集積される紙葉類の種類が決定され、押出部８３，９３の押出量を決定する際に用いられる紙葉類の種類（例えば通貨の種類、紙幣の金種、紙幣の刷種や、小切手、商品券及び帳票の種類等）に基づいて、押出部８３，９３の押出量が決定されることとなる。
【００６５】
なお、集積部８０，９０で集積される紙葉類の種類は、例えば操作表示部５から入力することができる。すなわち、本実施の形態の操作表示部５から、通貨の種類、紙幣の金種、紙幣の刷種、紙葉類の正損、紙葉類の表裏及び紙葉類の方向の各々に対して、指定モード、自動決定モード、動的決定モード、混合モード及び指定外モードを設定することができ、その結果、集積部８０，９０で集積される紙葉類の種類や、押出部８３，９３の押出量を決定する際に用いられる紙葉類の種類が決定されることとなる。
【００６６】
第四の態様として、図１５（ａ）−（ｄ）に示すように、集積部８０，９０に集積された紙葉類の集積状態を検知するための第三検知部１６０が設けられており、装置制御部１５０が第三検知部１６０による検知結果に基づいて押出部８３，９３の押出量を決定する態様を採用することができる。
【００６７】
この第四の態様では、第三検知部１６０が各集積部８０，９０内に設けられた複数の第三検知部分１６１ａ―１６１ｄを有していてもよい。この場合には、複数の第三検知部分１６１ａ―１６１ｄは、集積部８０，９０内において押出部８３，９３が紙葉類を開口部８０ｈ，９０ｈに向かって押し出す方向（図１５の上下方向）に沿って、異なる位置に配置されることとなる。図１５（ａ）―（ｄ）では、４つの第三検知部分１６１ａ―１６１ｄが直線状に配置されている態様が示されているが、これに限られることはなく、例えば第三検知部分１６１ａ―１６１ｄはジグザグや円弧状に配置されてもよいし、３つ以下の第三検知部分１６１ａ―１６１ｄや５つ以上の第三検知部分１６１ａ―１６１ｄが配置されてもよい。
【００６８】
第三検知部１６０の第三検知部分１６１ａ―１６１ｄは、例えば光学センサからなっていてもよい。この場合には、光学センサは、光を照射する照射部と、照射部から照射された光を受光するための受光部とを有していてもよい。そして、装置制御部１５０は、光学センサの遮光状態又は透光状態に基づいて、押出部８３，９３の押出量を決定することになる。より具体的には、装置制御部１５０は、各照射部から照射された光が対応する受光部で受光されているかを判断することで、集積部８０，９０に集積された紙葉類の集積状態を検知し、押出部８３，９３の押出量を決定する。
【００６９】
第五の態様として、図１６（ａ）−（ｄ）に示すように、集積部８０，９０内において押出部８３，９３が紙葉類を開口部８０ｈ，９０ｈに向かって押し出す際に、当該紙葉類の位置をリアルタイム（必ずしも「同時」である必要はなく、本願では数秒遅れる場合も含む。）で検知するための第四検知部１７０が設けられ、装置制御部１５０が第四検知部１７０からの検知結果に基づいて押出部８３，９３の押出量を制御する態様を採用することができる。なお、第四検知部１７０は必ずしも集積部８０，９０内に配置されている必要はなく、集積部８０，９０の前面側の外側に（隣接して）配置されていてもよい。このように集積部８０，９０の外側に第四検知部１７０を設ける場合には、第四検知部１７０として反射センサを採用してもよい。この際、反射センサは、集積部８０，９０の底板８０ａ，９０ａから前面側に飛び出すようにして配置されてもよい。
【００７０】
この第五の態様では、第四検知部１７０が各集積部８０，９０内に設けられた複数の第四検知部分１７１ａ，１７１ｂを有していてもよい。この場合には、複数の第四検知部分１７１ａ，１７１ｂは、集積部８０，９０内において押出部８３，９３が紙葉類を開口部８０ｈ，９０ｈに向かって押し出す方向（図１６の上下方向）に沿って、異なる位置に配置されることとなる。なお、第四検知部分は各集積部８０，９０に対して１つしか設けられていなくてもよい。また、第四検知部分は各集積部８０，９０に対して図１６の左右方向で一対しか設けられていなくてもよい。これらの場合には、紙葉類を押し出したい位置（例えば集積部８０，９０の前面側端部や集積部８０，９０の前面側の外側）に一つ又は一対の第四検知部分１７１ａ，１７１ｂが設けられてもよい。
【００７１】
また、第四検知部１７０の第四検知部分１７１ａ，１７１ｂは、例えば光学センサからなっていてもよい。この場合には、光学センサは、光を照射する照射部と、照射部から照射された光を受光するための受光部とを有していてもよい。そして、装置制御部１５０は、光学センサの遮光状態又は透光状態の変化に基づいて、押出部８３，９３の押出量を制御することになる。より具体的には、装置制御部１５０は、各照射部から照射された光が対応する受光部で受光されているかをリアルタイムで判断することで、集積部８０，９０に集積された紙葉類の位置を検知し、押出部８３，９３の押出量を制御する。
【００７２】
なお、上述した第三検知部１６０と第四検知部１７０とは同じ部材を用いることができる。つまり、第四の態様を採用する場合には、装置制御部１５０が一つ又は複数の光学センサによる検知結果に基づいて押出部８３，９３の押出量を決定し、他方、第五の態様を採用する場合には、装置制御部１５０が一つ又は複数の光学センサによる検知結果に基づいて押出部８３，９３の押出量を制御すればよい。また、センサ８９，９９と第三検知部１６０又は第四検知部１７０とが同じ部材から構成されてもよい。
【００７３】
ちなみに、上述した各態様において、装置制御部１５０は各押出部８３，９３の押出量を個別に決定又は制御できるようになっている。このため、集積部８０内に設けられた押出部８３の押出量と、集積部９０内に設けられた押出部９３の押出量とを、独立して決定又は制御することができる。
【００７４】
なお、第四の態様及び第五の態様において、装置制御部１５０は、集積部８０，９０に集積された紙葉類の集積状態によっては押出量を「０」（ゼロ）と決定することもある。
【００７５】
また、各態様を適宜組み合わせることもできる。つまり、第一の態様、第二の態様、第三の態様、第四の態様及び第五の態様のいずれか２つ以上を適宜組み合わせることもできる。例えば、第一の態様と第四の態様を組み合わせて、識別部６０で検知された紙葉類の種類と集積部８０，９０に集積された紙葉類の集積状態の両方に基づいて押出部８３，９３の押出量を決定することができる。また例えば、第二の態様と第四の態様を組み合わせて、識別部６０で検知された紙葉類の長さと集積部８０，９０に集積された紙葉類の集積状態の両方に基づいて押出部８３，９３の押出量を決定することができる。また例えば、第三の態様と第四の態様を組み合わせて、集積部８０，９０に集積される紙葉類の種類と集積部８０，９０に集積された紙葉類の集積状態の両方に基づいて押出部８３，９３の押出量を決定することができる。
【００７６】
図３に示すように、装置制御部１５０には、取込部２０、第一搬送部３１、中間搬送部３２、第二搬送部３３、識別部６０、装置記憶部１５５、分岐部７６，７７、リジェクト部１１０、羽根車１２１，１２２、各種センサＳ１−Ｓ６，８９，９９、操作表示部５、押出部８３，９３及び放出部１１４が接続されている。そして、装置制御部１５０は、これら取込部２０、第一搬送部３１、中間搬送部３２、第二搬送部３３、識別部６０、装置記憶部１５５、分岐部７６，７７、リジェクト部１１０、羽根車１２１，１２２、各種センサＳ１−Ｓ６，８９，９９、操作表示部５、押出部８３，９３及び放出部１１４から情報を取得したり、これらに対して指示を与えたりするようになっている。なお、第三検知部１６０が設けられている場合には、装置制御部１５０は当該第三検知部１６０に接続され、第三検知部１６０から情報を取得したり、第三検知部１６０に対して指示を与えたりするようになっている。また、第四検知部１７０が設けられている場合には、装置制御部１５０は当該第四検知部１７０に接続され、第四検知部１７０から情報を取得したり、第四検知部１７０に対して指示を与えたりするようになっている。
【００７７】
なお、図３に示すように、紙葉類処理装置１００以外の一つ又は複数の外部装置３００が設けられていてもよい。この外部装置３００が外部制御部３５０を有していてもよい。この外部制御部３５０は、装置制御部１５０が果たす機能と同様の機能を果たしてもよい。また、外部装置３００が外部表示部３０５を有していてもよい。この外部表示部３０５は、操作表示部５が果たす表示部としての機能と同様の機能を果たしてもよい。また、外部装置３００が外部操作部３０６を有していてもよい。この外部操作部３０６は、操作表示部５が果たす操作部としての機能と同様の機能を果たしてもよい。また、外部装置３００が外部記憶部３５５を有していてもよい。この外部記憶部３５５は、装置記憶部１５５が果たす機能と同様の機能を果たしてもよい。したがって、上述した「装置制御部１５０」を「外部制御部３５０」と読み替え、上述した「操作表示部５」を「外部操作部３０６」と読み替え、上述した「装置記憶部１５５」を「外部記憶部３５５」と読み替えることもできる。ちなみに、本実施の形態における「外部装置３００」は対象としている装置以外のあらゆる装置のことを意味しており、「紙葉類処理装置１００以外の外部装置３００」には、紙葉類処理装置１００以外のあらゆる装置が含まれている。
【００７８】
以下では、装置制御部１５０、外部制御部３５０、又は、装置制御部１５０及び外部制御部３５０の両方を意味する用語として「制御部４５０」を用いる。また、装置記憶部１５５、外部記憶部３５５、又は、装置記憶部１５５及び外部記憶部３５５の両方を意味する用語として「記憶部４５５」を用いる。また、操作表示部５、外部操作部３０６、又は、操作表示部５及び外部操作部３０６の両方を意味する用語として「操作部４０６」を用いる。
【００７９】
《方法》
次に、本実施の形態の紙葉類処理装置１００を用いた紙葉類処理方法について説明する。
【００８０】
まず、操作者が、複数の紙葉類を長手方向が前後方向（図２の紙面の法線方向）に向くようにして積層状態で受入部２９に載置する。受入部２９に載置された紙葉類は取込部２０のキッカローラ２３、補助ローラ２４、フィードローラ２１、逆転ローラ２２及びピンチローラ２５によって１枚ずつ筐体１０の内部に取り込まれる。筐体１０の内部に取り込まれた紙葉類は搬送部３０により搬送される。具体的には、筐体１０の内部に取り込まれた紙葉類は、第一搬送部３１、中間搬送部３２及び第二搬送部３３の順に搬送される。 
【００８１】
紙葉類が第一搬送部３１により搬送される際に、各紙葉類は識別部６０により正損、真偽、金種、方向、表裏、搬送状態等が検知される。ここで、識別部６０において識別を行うことができなかった紙葉類（識別不能券や、斜行、重送、連鎖等の搬送異常券）や、識別が行われたが正常でない紙葉類（偽券やサスペクト券）や、予め設定された所定の条件を満たさない紙葉類は、リジェクト部１１０に送るべき対象とされる。一方、識別部６０において、予め設定された所定の条件を満たすと判定された紙葉類は集積部８０，９０に集積すべき対象とされる。 
【００８２】
第一搬送部３１によって搬送された紙葉類は、第一搬送部３１から中間搬送部３２を経て第二搬送部３３に送られる。そして、第二搬送部３３により搬送される紙葉類のうち、前面側から見て左側の集積部８０に集積される紙葉類は上流側の分岐部７６で分岐搬送部７１に分岐され、前面側から見て右側の集積部９０に集積される紙葉類は下流側の分岐部７７で分岐搬送部７２に分岐される。
【００８３】
前面側から見て左側の分岐搬送部７１によって搬送された紙葉類は、反時計回りに回転する羽根車１２１の隣り合う羽根部分の間のスペースに受け入れられて、第二搬送部３３による紙葉類の搬送方向と逆方向（図２の略左側の方向）の成分を含む方向で順次、前面側から見て左側の集積部８０に集積される。この際、紙葉類は、前面側から見て左側の集積部８０に、水平方向の左方向（一方向）に対して４５度以上の角度、好ましくは６０度〜７０度の角度で傾斜した状態（すなわち立位状態）で集積される。
【００８４】
前面側から見て右側の分岐搬送部７２によって搬送された紙葉類は、時計回りに回転する羽根車１２２の隣り合う羽根部分の間のスペースに受け入れられて、第二搬送部３３による紙葉類の搬送方向（図２の略右側の方向）の成分を含む方向で順次、前面側から見て右側の集積部９０に集積される。この際、紙葉類は、前面側から見て右側の集積部９０に、水平方向の右方向（一方向の逆方向）に対して４５度以上の角度、好ましくは６０度〜７０度の角度で傾斜した状態（すなわち立位状態）で集積される。
【００８５】
また、第二搬送部３３により搬送される紙葉類のうち、リジェクト部１１０に送るべき対象とされた紙葉類はこれらの分岐部７６，７７で分岐搬送部７１，７２に分岐されずに、第二搬送部３３の上方に傾斜する傾斜部３４を通過して、第二搬送部３３の終端まで搬送されることとなる。第二搬送部３３の終端に送られた紙葉類は、放出ローラ１１１と対向ローラ１１２の間から放出されるが、この際、放出ローラ１１１の近傍に設けられた回転式の札叩きゴム１１３によって、その後端縁が叩かれてリジェクト部１１０に集積されることとなる。
【００８６】
上述した第一の態様によれば、識別部６０が、搬送部３０の第一搬送部３１で搬送される紙葉類の種類を検知し、制御部４５０が、識別部６０で検知された紙葉類の種類に基づいて、押出部８３，９３の押出量を決定する。より具体的には、識別部６０で検知された紙葉類の種類のうち押出部８３，９３の押出量を決定する際に用いられる紙葉類の種類、つまり、通貨の種類、紙幣の金種、紙幣の刷種や、小切手、商品券及び帳票の種類等に基づいて、記憶部４５５から当該紙葉類の押出方向に沿った長さが読み出される。そして、記憶部４５５から読み出された紙葉類の押出方向に沿った長さに基づいて押出部８３，９３の押出量が決定される。そして、予め定まった枚数の紙葉類が集積部８０，９０に集積されると、制御部４５０で決定された、識別部６０で検知された紙葉類の種類による押出量に基づいて、当該集積部８０，９０に集積された紙葉類が押し出される。
【００８７】
第二の態様によれば、識別部６０が、搬送部３０の第一搬送部３１で搬送される紙葉類の長さを検知し、制御部４５０が、識別部６０で検知された紙葉類の長さに基づいて、押出部８３，９３の押出量を決定する。このため、上述したように、予め定まった枚数の紙葉類が集積部８０，９０に集積されると、制御部４５０で決定された、識別部６０で検知された紙葉類の長さによる押出量に基づいて、当該集積部８０，９０に集積された紙葉類が押し出される。
【００８８】
第三の態様によれば、制御部４５０が、集積部８０，９０に集積される紙葉類の種類に基づいて、押出部８３，９３の押出量を決定する。より具体的には、設定された集積部８０，９０に集積される紙葉類の種類のうち押出部８３，９３の押出量を決定する際に用いられる紙葉類の種類、つまり、通貨の種類、紙幣の金種、紙幣の刷種や、小切手、商品券及び帳票の種類等に基づいて、記憶部４５５から当該紙葉類の押出方向に沿った長さが読み出される。そして、記憶部４５５から読み出された紙葉類の押出方向に沿った長さに基づいて押出部８３，９３の押出量が決定される。そして、予め定まった枚数の紙葉類が集積部８０，９０に集積されると、制御部４５０で決定された、集積部８０，９０に集積される紙葉類の種類による押出量に基づいて、当該集積部８０，９０に集積された紙葉類が押し出される。
【００８９】
なお、集積部８０，９０に集積される紙葉類の種類に関しては、操作部４０６から、通貨の種類、紙幣の金種、紙幣の刷種、紙葉類の正損、紙葉類の表裏及び紙葉類の方向の各々に対して、指定モード、自動決定モード、動的決定モード、混合モード及び指定外モードが設定されることになる。
【００９０】
第四の態様によれば、集積部８０，９０に集積された紙葉類の集積状態を検知するための第三検知部１６０が設けられており（図１５（ａ）−（ｄ）参照）、制御部４５０が第三検知部１６０による検知結果に基づいて押出部８３，９３の押出量を決定する。このため、上述したように、予め定まった枚数の紙葉類が集積部８０，９０に集積されると、制御部４５０で決定された、集積部８０，９０に集積された紙葉類の集積状態による押出量に基づいて、当該集積部８０，９０に集積された紙葉類が押し出される。
【００９１】
第五の態様によれば、集積部８０，９０内において押出部８３，９３が紙葉類を開口部８０ｈ，９０ｈに向かって押し出す際に、当該紙葉類の位置をリアルタイムで検知するための第四検知部１７０が設けられており（図１６（ａ）−（ｄ）参照）、制御部４５０が第四検知部１７０からの検知結果に基づいて押出部８３，９３の押出量を制御する。このため、上述したように、予め定まった枚数の紙葉類が集積部８０，９０に集積されると、紙葉類の位置をリアルタイムで検知しつつ、その検知結果に基づいて押出部８３，９３の押出量が制御されて、当該集積部８０，９０に集積された紙葉類が押し出される。
【００９２】
《効果》
次に、上述した構成からなる本実施の形態によって達成される効果であって、まだ述べていない効果又はとりわけ重要な効果について説明する。
【００９３】
本発明によれば、紙葉類の種類又は紙葉類の長さに基づいて押出部８３，９３の押出量を決定したり、押出部８３，９３が紙葉類を開口部８０ｈ、９０ｈに向かって押し出す際に当該紙葉類の位置を検知して押出部８３，９３の押出量を制御したりする。このため、紙葉類の大きさに合わせて押出部８３，９３による紙葉類の押出量を適切な値にすることができる。したがって、紙葉類が小さいときでも十分押し出すことができ、ひいては紙葉類を集積部８０，９０から取り出しやすくすることができ、他方、紙葉類が大きいときでも大きな紙葉類が集積部８０，９０から落下してしまうことを防止することができる。
【００９４】
本発明の第一の態様によれば、識別部６０が、搬送部３０の第一搬送部３１で搬送される紙葉類の種類を検知し、制御部４５０が、識別部６０で検知された紙葉類の種類に基づいて、押出部８３，９３の押出量を決定する。より具体的には、識別部６０で検知された紙葉類の種類のうち押出部８３，９３の押出量を決定する際に用いられる紙葉類の種類、つまり、通貨の種類、紙幣の金種、紙幣の刷種や、小切手、商品券及び帳票の種類等に基づいて、記憶部４５５から当該紙葉類の押出方向に沿った長さが読み出される。また、当該紙葉類が集積される集積部８０，９０も記憶部４５５から読み出される。そして、記憶部４５５から読み出された紙葉類の押出方向に沿った長さと、対象となっている紙葉類が集積された集積部８０，９０の情報とに基づいて、各集積部８０，９０に設置された押出部８３，９３の押出量が決定される。このため、紙葉類の種類に基づいて導き出された紙葉類の大きさに合わせて、各押出部８３，９３による紙葉類の押出量を適切な値にすることができる。
【００９５】
本発明の第二の態様によれば、識別部６０が、搬送部３０の第一搬送部３１で搬送される紙葉類の長さを検知し、制御部４５０が、識別部６０で検知された紙葉類の長さに基づいて、押出部８３，９３の押出量を決定する。そして、識別部６０で検知された紙葉類の長さと、対象となっている紙葉類が集積された集積部８０，９０の情報とに基づいて、各集積部８０，９０に設置された押出部８３，９３の押出量が決定される。このため、本態様によっても、紙葉類の大きさに合わせて押出部８３，９３による紙葉類の押出量を適切な値にすることができる。なお、本態様において直接「押出方向に沿った紙葉類の長さ」（本実施の形態では「紙葉類の長手方向の長さ」）を識別部６０で検知する態様を採用した場合には、記憶部４５５から紙葉類の種類に関する情報を読み出す必要がなくなることや、実際の紙葉類の押出方向に沿った長さに基づいて押出量を決定することができる点で、有益である。
【００９６】
本発明の第三の態様によれば、集積部８０，９０に集積される紙葉類の種類に基づいて、押出部８３，９３の押出量を決定する。より具体的には、集積部８０，９０に集積される紙葉類の種類のうち押出部８３，９３の押出量を決定する際に用いられる紙葉類の種類、つまり、通貨の種類、紙幣の金種、紙幣の刷種や、小切手、商品券及び帳票の種類等に基づいて、記憶部４５５から当該紙葉類の押出方向に沿った長さが読み出される。そして、記憶部４５５から読み出された紙葉類の押出方向に沿った長さに基づいて押出部８３，９３の押出量が決定される。このため、紙葉類の種類に基づいて導き出された紙葉類の大きさに合わせて押出部８３，９３による紙葉類の押出量を適切な値にすることができる。なお、本態様によれば、予め集積部８０，９０毎に紙葉類の押出量が設定されることから、識別部６０で識別される各紙葉類に対して通貨の種類、紙幣の金種、紙幣の刷種や、小切手、商品券及び帳票の種類等を判断して押出量を決定する必要がない点で、有益である。
【００９７】
本発明の第四の態様によれば、集積部８０，９０に集積された紙葉類の集積状態を検知するための第三検知部１６０が設けられており（図１５（ａ）−（ｄ）参照）、制御部４５０が第三検知部１６０による検知結果に基づいて押出部８３，９３の押出量を決定する。このため、実際に集積部８０，９０に集積された紙葉類の集積状態も加味して、押出部８３，９３による押出量を適切な値にすることができる。したがって、仮に紙葉類の集積状態が通常と異なるような状態に（何らしかの理由で乱れて）集積されたような場合であっても、押出部８３，９３によって紙葉類を所望の量だけ押し出すことができる。このため、仮に通常の集積位置と比べて前面側に誤って紙葉類が集積されたとしても、当該紙葉類が集積部８０，９０から落下するようなことも起こりにくい。ちなみに、小さい紙葉類の場合には集積部８０，９０内で乱れた状態で集積されることが比較的多い。したがって、本態様は、小さい紙葉類を処理する場合にとりわけ有益である。
【００９８】
また、本態様によれば、異なる大きさの紙葉類が混合して集積部８０，９０で集積されても、所望の位置まで紙葉類の先端（前面側の端部）を押し出すことができる点でも有益である。
【００９９】
なお、第三検知部１６０が集積部８０，９０内に設けられた複数の第三検知部分１６１ａ―１６１ｄを有している場合には、各第三検知部分１６１ａ―１６１ｄからの情報に基づいて、紙葉類の集積状態を検知することができる。このため、どの位置に紙葉類が集積されておりどの位置に紙葉類が集積されていないのか等を細かく検知でき、ひいては、押出部８３，９３による押出量をより細やかに決定することができる。より具体的には、集積部８０，９０の後面側に設けられた第三検知部分１６１ａによって集積された紙葉類の後端（後面側の端部）の位置を検知し、集積部８０，９０の前面側に設けられた第三検知部分１６１ｃや第三検知部分１６１ｄによって集積された紙葉類の先端（前面側の端部）の位置を検知することができる。この結果、紙葉類の押出方向に沿った長さを検知することができ、押出部８３，９３による押出量を決定することができる。なお、設置される第三検知部分１６１ａ―１６１ｄの量が多ければ多いだけ押出部８３，９３による押出量をより細やかに決定することができるが、他方、設置される第三検知部分１６１ａ―１６１ｄの量を少なくすることで紙葉類処理装置１００の製造コストを下げることができる。
【０１００】
本発明の第五の態様によれば、集積部８０，９０内において押出部８３，９３が紙葉類を開口部８０ｈ，９０ｈに向かって押し出す際に、当該紙葉類の位置をリアルタイムで検知するための第四検知部１７０が設けられており（図１６（ａ）−（ｄ）参照）、制御部４５０が第四検知部１７０からの検知結果に基づいて押出部８３，９３の押出量を制御する。このため、押出部８３，９３で紙葉類の実際の位置を検出しながら押出量を制御することができる。したがって、リアルタイムで情報を取得して、実際に押し出したい位置まで紙葉類を押し出すことができる。このため、仮に紙葉類の集積状態が通常と異なるような状態に（何らしかの理由で乱れて）集積されたような場合であっても、押出部８３，９３を適切に制御しながら紙葉類を押し出すことができる。このため、仮に通常の集積位置と比べて前面側に誤って紙葉類が集積されたとしても、当該紙葉類が集積部８０，９０から落下するようなことも起こりにくい。ちなみに、上述したように、小さい紙葉類の場合には集積部８０，９０内で乱れた状態で集積されることが比較的多いことから、本態様は、小さい紙葉類を処理する場合にとりわけ有益である。
【０１０１】
また、本態様によれば、異なる大きさの紙葉類が混合して集積部８０，９０で集積されても、所望の位置まで紙葉類の先端（前面側の端部）を押し出すことができる点でも有益である。
【０１０２】
なお、第四検知部１７０が集積部８０，９０内に設けられた複数の第四検知部分１７１ａ，１７１ｂを有している場合には、各第四検知部分１７１ａ，１７１ｂからの情報に基づいて、リアルタイムで紙葉類の位置情報を検知することができる。このため、押出部８３，９３で紙葉類を押し出している際に、どの位置に紙葉類が位置しておりどの位置に紙葉類が位置していないのか等を細かくリアルタイムで検知でき、ひいては、押出部８３，９３による押出量をより細やかに制御することができる。なお、設置される第四検知部分１７１ａ，１７１ｂの量が多ければ多いだけ押出部８３，９３による押出量をより細やかに制御することができるが、他方、設置される第四検知部分１７１ａ，１７１ｂの量を少なくすることで紙葉類処理装置１００の製造コストを下げることができる。
【０１０３】
ところで、上述した第一の態様、第二の態様及び第三の態様の各々において、押出量は、集積部８０，９０の後面側の側壁に紙葉類が接触していることを前提として算出されてもよいし、集積部８０，９０の後面側の側壁から所定の長さ（例えば数ミリ〜数センチ）だけ間隙が設けられていることを前提として算出されてもよい。また、この「所定の長さ」の値は例えば操作部４０６から入力することで適宜変更できるようになっていてもよい。
【０１０４】
第２の実施の形態
次に、本発明の第２の実施の形態について説明する。なお、図１８（ａ）−（ｄ）は、本発明の第２の実施の形態を説明するための図である。
【０１０５】
第１の実施の形態では、制御部４５０が押出部８３，９３の押出量を決定又は制御する態様であったが、第２の実施の形態では、このように押出部８３，９３の押出量を決定又は制御する態様ではなく、押出部８３，９３が開口部８０ｈ，９０ｈに向かって押し出されるか否かを制御部４５０が決定する態様となっている。
【０１０６】
本実施の形態では、集積部８０，９０に集積された紙葉類を検知するための第五検知部と、紙葉類が集積部８０，９０に搬送されたことを検知するための第六検知部と、が設けられている。そして、第五検知部による検知結果と第六検知部による検知結果とが所定の条件を満たすときに、押出部８３，９３が開口部８０ｈ，９０ｈに向かって押し出されることになる。
【０１０７】
本実施の形態では、図２に示すセンサ８９，９９が第五検知部としての役割を果たし、センサＳ３−Ｓ５が第六検知部としての役割を果たす。センサＳ３で紙葉類が通過したことが検知されたがセンサＳ４で紙葉類が通過したことが検知されない場合には、集積部８０内に紙葉類が集積されたと判断され、センサＳ４で紙葉類が通過したことが検知されたがセンサＳ５で紙葉類が通過したことが検知されない場合には、集積部９０内に紙葉類が集積されたと判断される。
【０１０８】
そして、上述した「所定の条件」は、センサＳ３−Ｓ５によって紙葉類が集積部８０，９０に搬送されたと検知されたにもかかわらず、センサ８９，９９によって当該集積部８０，９０に紙葉類が集積されていないと検知された場合に満たされるようにしてもよい。より具体的には、センサＳ３で紙葉類が通過したことが検知されたがセンサＳ４で紙葉類が通過したことが検知されず、集積部８０に紙葉類が搬送されたと判断されたにもかかわらず、センサ８９によって当該集積部８０に紙葉類が集積されていないと検知された場合や、センサＳ４で紙葉類が通過したことが検知されたがセンサＳ５で紙葉類が通過したことが検知されず、集積部９０に紙葉類が搬送されたと検知されたにもかかわらず、センサ９９によって当該集積部８０に紙葉類が集積されていないと検知された場合に、「所定の条件」が満たされるようにしてもよい。
【０１０９】
また、さらに限定して、上述した「所定の条件」は、センサＳ３−Ｓ５によって集積部８０，９０に搬送されたと検知された紙葉類の枚数が所定枚数以下である場合に満たされるようにしてもよい。より具体的には、センサＳ３で紙葉類が通過したことが検知されたがセンサＳ４で紙葉類が通過したことが検知されず、集積部８０に紙葉類が搬送されたと検知されたにもかかわらず、センサ８９によって当該集積部８０に紙葉類が集積されていないと検知された場合であって、センサＳ３，Ｓ４によって集積部８０に搬送されたと検知された紙葉類の枚数が所定枚数以下である場合や、センサＳ４で紙葉類が通過したことが検知されたがセンサＳ５で紙葉類が通過したことが検知されず、集積部９０に紙葉類が搬送されたと検知されたにもかかわらず、センサ９９によって当該集積部８０に紙葉類が集積されていないと検知された場合であって、センサＳ４，Ｓ５によって集積部９０に搬送されたと検知された紙葉類の枚数が所定枚数以下である場合に、「所定の条件」が満たされるようにしてもよい。
【０１１０】
第２の実施の形態において、その他の構成は、第１の実施の形態と略同一の態様となっている。第２の実施の形態において、第１の実施の形態と同一部分には同一符号を付して詳細な説明は省略する。
【０１１１】
本実施の形態でも、第１の実施の形態と同様の効果を奏することができる。第１の実施の形態で詳細に説明したことから、本実施の形態における効果については適宜省略しながら説明する。
【０１１２】
本実施の形態によれば、例えば紙葉類の一部（より具体的には紙幣の一部）が透けている場合に、当該紙葉類が集積部８０，９０に集積されているにもかかわらず、当該集積部８０，９０に紙葉類が集積されていないと判断されることを防止することができる。
【０１１３】
つまり、紙葉類の一部が透けている場合には、センサ８９，９９の発光部から照射される光が紙葉類のクリアウィンドウのように透けている部分（透明部分）を透過して受光部で受光されることがある（図１８（ａ）（ｃ）参照）。この場合には、紙葉類が集積部８０，９０に集積されているにもかかわらず、センサ８９，９９からの情報では、集積部８０，９０に紙葉類が集積されていないと判断されることになる。
【０１１４】
この点、本実施の形態によれば、第五検知部であるセンサ８９，９９による検知結果と第六検知部であるセンサＳ３−Ｓ５による検知結果とが所定の条件を満たすときに、押出部８３，９３が開口部８０ｈ，９０ｈに向かって押し出されることになる。そして、「所定の条件」が、センサＳ３−Ｓ５によって紙葉類が集積部８０，９０に搬送されたと検知されたにもかかわらず、センサ８９，９９によって当該集積部８０，９０に紙葉類が集積されていないと検知された場合に満たされるようにしたときには、まさに、実際には紙葉類が集積部８０，９０に集積されているにもかかわらず、センサ８９，９９からの情報では集積部８０，９０に紙葉類が集積されていないと判断されたときに該当する。そして、この「所定の条件」を満たす場合には、押出部８３，９３が開口部８０ｈ，９０ｈに向かって押し出されることになるので、集積部８０，９０で集積された紙葉類の位置がずれ、センサ８９，９９の発光部から照射される光が当該透けている部分以外の部分に照射されることになる（図１８（ｂ）（ｄ）参照）。その結果、センサ８９，９９によって、集積部８０，９０に紙葉類が集積されていることを検知することができることになる。なお、センサ８９，９９からの情報がリアルタイムで取得される場合には、押出部８３，９３による押し出しは、例えば、押出部８３，９３が開口部８０ｈ，９０ｈに向かって押し出された結果、センサ８９，９９の発光部から照射される光が遮光されたときに停止されてもよい。
【０１１５】
また、上述したように「所定の条件」が、センサＳ３−Ｓ５によって集積部８０，９０に搬送されたと検知された紙葉類の枚数が所定枚数以下である場合にのみ満たされるようにすることもできる。この場合における「所定枚数」は、例えば紙葉類の透けている部分（透明部分）にセンサ８９，９９の発光部からの光が照射されても、当該光が当該紙葉類の透けている部分を透過しないような枚数であり、例えば５枚〜１０枚である。このため、この態様を採用した場合には、集積部８０，９０に搬送された紙葉類の枚数が所定枚数以下である場合であって、センサ８９，９９によって集積部８０，９０に紙葉類が集積されていることを検知できない場合にのみ押出部８３，９３による紙葉類の押し出しが行われ、集積部８０，９０に搬送された紙葉類の枚数が所定枚数よりも多いときにセンサ８９，９９によって集積部８０，９０に紙葉類が集積されていることを検知できない場合には、センサ８９，９９に関連した何らしかの不具合が発生していることが検知されることになる。
【０１１６】
上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【０１１７】
したがって、紙葉類処理装置１００としては図１及び図２に示すような態様には限られず、１つの集積部を有する紙葉類処理装置や、３つ以上の集積部８０’を有する紙葉類処理装置１００’（図１９参照）や、複数のリジェクト部１１０’（図１９参照）を有する紙葉類処理装置１００’を採用することもできる。図１９においては、図１及び図２に示した紙葉類処理装置１００と同様の機能を果たす部材に関しては、図１及び図２に示した紙葉類処理装置１００で割り当てた参照番号に「’」を付して示している。なお、紙葉類処理装置１００，１００’の典型的な例は紙幣処理装置である。
【符号の説明】
【０１１８】
５          操作表示部
２９        受入部
３０        搬送部
６０        識別部（第一検知部，第二検知部）
８０，９０  集積部
８０ｈ，９０ｈ  開口部
８３，９３  押出部
８９，９９  センサ（第五検知部）
Ｓ３−Ｓ５  センサ（第六検知部）
１５０      装置制御部
１５５      装置記憶部
１６０      第三検知部
１７０      第四検知部
３０６      外部操作部
３５０      外部制御部
３５５      外部記憶部
４５０      制御部
４５５      記憶部
４０６      操作部
【図１】
2016045593.tif 000003
【図２】
2016045593.tif 000004
【図３】
2016045593.tif 000005
【図４】
2016045593.tif 000006
【図５】
2016045593.tif 000007
【図６】
2016045593.tif 000008
【図７】
2016045593.tif 000009
【図８】
2016045593.tif 000010
【図９】
2016045593.tif 000011
【図１０】
2016045593.tif 000012
【図１１】
2016045593.tif 000013
【図１２】
2016045593.tif 000014
【図１３】
2016045593.tif 000015
【図１４】
2016045593.tif 000016
【図１５】
2016045593.tif 000017
【図１６】
2016045593.tif 000018
【図１７】
2016045593.tif 000019
【図１８】
2016045593.tif 000020
【図１９】
2016045593.tif 000021